(57)【特許請求の範囲】
【請求項１】
プリント情報を受け付けるプリント受付装置であって、
表示部と、
複数のテンプレート画像のうちから１つのテンプレート画像の選択を受け付けるテンプレート画像受付部と、
前記選択されたテンプレート画像に適合する単数又は複数のスタンプ画像を取得するスタンプ画像取得部と、
前記選択されたテンプレート画像及び前記取得した前記単数又は複数のスタンプ画像を前記表示部に表示させる表示制御部と、
前記表示部に表示された前記単数又は複数のスタンプ画像から前記テンプレート画像に合成する単数又は複数のスタンプ画像の選択を受け付けるスタンプ画像受付部と、
少なくとも前記選択されたテンプレート画像を示すテンプレート情報及び前記選択されたスタンプ画像を示すスタンプ情報を前記プリント情報として受け付ける情報受付部と、
を備え、
前記スタンプ画像取得部は、前記選択されたテンプレート画像を画像解析して得られるデザイン特徴量に対応する感性語であって、当該テンプレート画像の印象が表現された前記感性語と一致又は類似する感性語を有する単数又は複数のスタンプ画像を取得し、
前記表示制御部は、前記選択されたテンプレート画像に前記選択されたスタンプ画像を合成して前記表示部に表示させるプリント受付装置。
【請求項２】
前記選択されたテンプレート画像へ組み込むための撮影画像を取得する撮影画像取得部と、
前記選択されたテンプレート画像の前記感性語を、前記選択されたテンプレート画像に前記撮影画像が組み込まれた後のテンプレート画像を画像解析して得られるデザイン特徴量に対応する感性語であって、当該テンプレート画像の印象が表現された前記感性語に更新する感性語更新部と、
を備える請求項１に記載のプリント受付装置。
【請求項３】
前記スタンプ画像の移動指令を受け付ける移動指令受付部と、を備え、
前記表示制御部は、前記移動指令に基づいて前記スタンプ画像を移動させる請求項１又は２に記載のプリント受付装置。
【請求項４】
前記テンプレート画像受付部は、前記テンプレート画像が有する前記テンプレート画像の絵柄に応じたスタンプ配置情報を取得し、
前記表示制御部は、前記移動指令受付部から前記移動指令を受信した場合には、前記テンプレート画像が有する前記スタンプ配置情報に基づいて、前記スタンプ画像を移動させる請求項３に記載のプリント受付装置。
【請求項５】
前記スタンプ配置情報は、前記テンプレート画像が人物を有する場合には前記人物の付近であり、前記テンプレート画像が風景画を有する場合には、前記テンプレート画像の隅である請求項４に記載のプリント受付装置。
【請求項６】
前記スタンプ画像のサイズ変更指令を受け付けるサイズ変更指令受付部と、を備え、
前記表示制御部は、前記サイズ変更指令に基づいて、前記スタンプ画像のサイズを変更する請求項１から５のいずれか１項に記載のプリント受付装置。
【請求項７】
前記表示制御部は、前記テンプレート画像の大きさ、前記テンプレート画像の絵柄、又は貼り付け位置に応じて前記スタンプ画像のサイズを変更する請求項１から５のいずれか１項に記載のプリント受付装置。
【請求項８】
プリント情報をネットワークを介して端末から受け付けるプリント受付サーバであって、
前記端末の表示部に複数のテンプレート画像を表示させ、前記端末でのテンプレート画像の選択操作に基づいて前記複数のテンプレート画像のうちから１つのテンプレート画像の選択を受け付けるテンプレート画像受付部と、
前記受け付けたテンプレート画像に適合する単数又は複数のスタンプ画像を取得するスタンプ画像取得部と、
前記取得した単数又は複数のスタンプ画像を前記端末に送信し、前記端末の表示部に表示させるスタンプ画像送信部と、
前記表示部に表示された前記単数又は複数のスタンプ画像から前記テンプレート画像に合成する単数又は複数のスタンプ画像を、前記端末での前記スタンプ画像の選択操作に基づいて受け付けるスタンプ画像受付部と、
少なくとも前記選択されたテンプレート画像を示すテンプレート情報及び前記選択されたスタンプ画像を示すスタンプ情報を前記プリント情報として受け付ける情報受付部と、
を備え、
前記スタンプ画像取得部は、前記選択されたテンプレート画像を画像解析して得られるデザイン特徴量に対応する感性語であって、当該テンプレート画像の印象が表現された前記感性語と一致又は類似する感性語を有する単数又は複数のスタンプ画像を取得するプリント受付サーバ。
【請求項９】
前記選択されたテンプレート画像へ組み込むための撮影画像を取得する撮影画像取得部と、
前記選択されたテンプレート画像の前記感性語を、前記選択されたテンプレート画像に前記撮影画像が組み込まれた後のテンプレート画像を画像解析して得られるデザイン特徴量に対応する感性語であって、当該テンプレート画像の印象が表現された前記感性語に更新する感性語更新部と、
を備える請求項８に記載のプリント受付サーバ。
【請求項１０】
前記テンプレート画像受付部は、前記テンプレート画像が有する前記テンプレート画像の絵柄に応じたスタンプ配置情報を取得し、
前記スタンプ画像送信部は、前記スタンプ配置情報を前記端末に送信する請求項８又は９に記載のプリント受付サーバ。
【請求項１１】
前記スタンプ配置情報は、前記テンプレート画像が人物を有する場合には前記人物の付近であり、前記テンプレート画像が風景画を有する場合には、前記テンプレート画像の隅である請求項１０に記載のプリント受付サーバ。
【請求項１２】
前記スタンプ画像送信部は、前記テンプレート画像の大きさ、又は前記テンプレート画像の絵柄に応じてサイズを変更した前記スタンプ画像を送信する請求項８から１１のいずれか１項に記載のプリント受付サーバ。
【請求項１３】
プリント情報を受け付けるプリント受付方法であって、
複数のテンプレート画像のうちから１つのテンプレート画像の選択を受け付けるテンプレート画像受付ステップと、
前記選択されたテンプレート画像に適合する単数又は複数のスタンプ画像を取得するスタンプ画像取得ステップと、
前記選択されたテンプレート画像及び前記取得した前記単数又は複数のスタンプ画像を表示部に表示させる表示制御ステップと、
前記表示部に表示された前記単数又は複数のスタンプ画像から前記テンプレート画像に合成する単数又は複数のスタンプ画像の選択を受け付けるスタンプ画像受付ステップと、
少なくとも前記選択されたテンプレート画像を示すテンプレート情報及び前記選択されたスタンプ画像を示すスタンプ情報を前記プリント情報として受け付ける情報受付ステップと、
を備え、
前記スタンプ画像取得ステップは、前記選択されたテンプレート画像を画像解析して得られるデザイン特徴量に対応する感性語であって、当該テンプレート画像の印象が表現された前記感性語と一致又は類似する感性語を有する単数又は複数のスタンプ画像を取得し、
前記表示制御ステップは、前記選択されたテンプレート画像に前記選択されたスタンプ画像を合成して前記表示部に表示させるプリント受付方法。
【請求項１４】
プリント情報をネットワークを介して端末から受け付けるプリント受付方法であって、
前記端末の表示部に複数のテンプレート画像を表示させ、前記端末でのテンプレート画像の選択操作に基づいて前記複数のテンプレート画像のうちから１つのテンプレート画像の選択を受け付けるテンプレート画像受付ステップと、
前記受け付けたテンプレート画像に適合する単数又は複数のスタンプ画像を取得するスタンプ画像取得ステップと、
前記取得した単数又は複数のスタンプ画像を前記端末に送信し、前記端末の表示部に表示させるスタンプ画像送信ステップと、
前記表示部に表示された前記単数又は複数のスタンプ画像から前記テンプレート画像に合成する単数又は複数のスタンプ画像を、前記端末での前記スタンプ画像の選択操作に基づいて受け付けるスタンプ画像受付ステップと、を備え、
前記スタンプ画像取得ステップは、前記選択されたテンプレート画像を画像解析して得られるデザイン特徴量に対応する感性語であって、当該テンプレート画像の印象が表現された前記感性語と一致又は類似する感性語を有する単数又は複数のスタンプ画像を取得するプリント受付方法。
【発明の詳細な説明】
【技術分野】
【０００１】
本発明は、プリント受付装置、プリント受付サーバ、及びプリント受付方法に関し、特に感性語に基づいて選択されるポストカードをプリントするプリント受付装置、プリント受付サーバ、及びプリント受付方法に関する。
【背景技術】
【０００２】
従来より、ユーザが自分の好みに合ったポストカードを作成又は選択してプリントを注文し、その注文に沿ったプリントを行うサービスが行われている。ユーザは、店頭に設置されたプリント受付装置又はインターネットを介して自宅のパソコンに表示されるポストカードの画像を参照して、自分の好みに合った絵柄等を有するポストカードのプリントを発注する。
【０００３】
また、ポストカードのテンプレートに対してスタンプを付すことにより、テンプレートに対してデコレーションを行い、ポストカードをよりユーザの好みに合ったものにするサービスが行われている。テンプレートの絵柄とスタンプの絵柄とを上手く組み合わせることにより、ユーザは所望のポストカードを創作することができる。
【０００４】
また、近年では特定色又は色の組み合わせが持つ感性的な分類を解析及び応用する技術が提案されている。
【０００５】
例えば特許文献１では、画像データを解析して色の組み合わせが持つ雰囲気を格納されているデータベースに基づいて特定する技術が提案されている。
【先行技術文献】
【特許文献】
【０００６】
【特許文献１】特開２０１１−２２１６０５号公報
【発明の概要】
【発明が解決しようとする課題】
【０００７】
ところでユーザは、ポストカードのプリントサービスを利用する場合には、多数のテンプレートから好みのテンプレートを選択しなければならない場合があり、さらに、選択したテンプレートに合うスタンプを多数のスタンプの候補から選択しなければならない場合がある。この場合に、ユーザが選択したテンプレートにマッチしたスタンプを提案することにより、ユーザはある程度絞られた候補からスタンプを選択することができ、プリントサービスの利用の促進を図ることができる。
【０００８】
しかしながら、特許文献１には、選択されたテンプレート画像に対して上手くマッチするスタンプを提案することに関して開示及び示唆が行われていない。
【０００９】
本発明はこのような事情に鑑みてなされたもので、その目的は、選択されたテンプレート画像の感性に合った適切なスタンプ画像を選択することができ、且つスタンプ画像の選択を容易に行うことができるプリント受付装置、プリント受付サーバ、及びプリント受付方法を提供することである。
【課題を解決するための手段】
【００１０】
上記目的を達成するための本発明の一の態様であるプリント受付装置は、プリント情報を受け付けるプリント受付装置であって、表示部と、複数のテンプレート画像のうちから１つのテンプレート画像の選択を受け付けるテンプレート画像受付部と、選択されたテンプレート画像に適合する単数又は複数のスタンプ画像を取得するスタンプ画像取得部と、選択されたテンプレート画像及び取得した単数又は複数のスタンプ画像を表示部に表示させる表示制御部と、表示部に表示された単数又は複数のスタンプ画像からテンプレート画像に合成する単数又は複数のスタンプ画像の選択を受け付けるスタンプ画像受付部と、少なくとも選択されたテンプレート画像を示すテンプレート情報及び選択されたスタンプ画像を示すスタンプ情報をプリント情報として受け付ける情報受付部と、を備え、スタンプ画像取得部は、選択されたテンプレート画像を画像解析して得られるデザイン特徴量に対応する感性語であって、当該テンプレート画像の印象が表現された感性語と一致又は類似する感性語を有する単数又は複数のスタンプ画像を取得し、表示制御部は、選択されたテンプレート画像に選択されたスタンプ画像を合成して表示部に表示させる。
【００１１】
本態様によれば、選択されたテンプレート画像の感性語と一致又は類似する感性語を有するスタンプ画像が提案されるので、選択されたテンプレート画像の感性に合った適切なスタンプ画像を選択することができ、且つスタンプ画像の選択を容易に行うことができる。
【００１２】
好ましくは、プリント受付装置は、テンプレート画像へ組み込むための撮影画像を取得する撮影画像取得部と、テンプレート画像に撮影画像が組み込まれた後のテンプレート画像を画像解析して得られるデザイン特徴量に対応する感性語であって、当該テンプレート画像の印象が表現された感性語に更新する感性語更新部と、を備える。
【００１３】
本態様によれば、撮影画像がテンプレート画像へ込み込まれた後に再び画像解析が行われて感性語が更新されるので、テンプレート画像に撮影画像が込み込まれたのちに全体の印象又は雰囲気が変わった場合であっても、撮影画像が組み込まれたテンプレート画像に適切なスタンプ画像を提案することができる。
【００１４】
好ましくは、プリント受付装置は、スタンプ画像の移動指令を受け付ける移動指令受付部と、を備え、表示制御部は、移動指令に基づいてスタンプ画像を移動させる。
【００１５】
本態様によれば、移動指令に基づいてスタンプ画像が移動させられるので、所望の位置にスタンプ画像を移動させることができる。
【００１６】
好ましくは、テンプレート画像受付部は、テンプレート画像が有するテンプレート画像の絵柄に応じたスタンプ配置情報を取得し、表示制御部は、移動指令受付部から移動指令を受信した場合には、テンプレート画像が有するスタンプ配置情報に基づいて、スタンプ画像を移動させる。
【００１７】
本態様によれば、テンプレート画像が有するテンプレート画像の絵柄に応じたスタンプ配置情報に基づいてスタンプ画像が移動させられるので、テンプレート画像の絵柄に適した位置にスタンプ画像を配置することができる。
【００１８】
好ましくは、スタンプ配置情報は、テンプレート画像が人物を有する場合には人物の付近であり、テンプレート画像が風景画を有する場合には、テンプレート画像の隅である。
【００１９】
本態様によれば、テンプレート画像が人物を有する場合には人物の付近にスタンプ画像が配置され、テンプレート画像が風景画を有する場合には、テンプレート画像の隅にスタンプ画像が配置されるので、テンプレート画像が有する絵柄に応じて適切な位置にスタンプ画像を配置することができる。
【００２０】
好ましくは、プリント受付装置は、スタンプ画像のサイズ変更指令を受け付けるサイズ変更指令受付部と、を備え、表示制御部は、サイズ変更指令に基づいて、スタンプ画像のサイズを変更する。
【００２１】
本態様によれば、サイズ変更指令に応じてスタンプ画像の大きさが変更されるので、スタンプ画像を所望の大きさに調節することができる。
【００２２】
好ましくは、表示制御部は、テンプレート画像の大きさ、テンプレート画像の絵柄、又は貼り付け位置に応じてスタンプ画像のサイズを変更する。
【００２３】
本態様によれば、テンプレート画像の大きさ、テンプレート画像の絵柄、又は貼り付け位置に応じて、スタンプ画像のサイズが調節されるので、スタンプ画像は適切に調節される。
【００２４】
本発明の他の態様であるプリント受付サーバは、プリント情報をネットワークを介して端末から受け付けるプリント受付サーバであって、端末の表示部に複数のテンプレート画像を表示させ、端末でのテンプレート画像の選択操作に基づいて複数のテンプレート画像のうちから１つのテンプレート画像の選択を受け付けるテンプレート画像受付部と、受け付けたテンプレート画像に適合する単数又は複数のスタンプ画像を取得するスタンプ画像取得部と、取得した単数又は複数のスタンプ画像を端末に送信し、端末の表示部に表示させるスタンプ画像送信部と、表示部に表示された単数又は複数のスタンプ画像からテンプレート画像に合成する単数又は複数のスタンプ画像を、端末でのスタンプ画像の選択操作に基づいて受け付けるスタンプ画像受付部と、少なくとも選択されたテンプレート画像を示すテンプレート情報及び選択されたスタンプ画像を示すスタンプ情報をプリント情報として受け付ける情報受付部と、を備え、スタンプ画像取得部は、選択されたテンプレート画像を画像解析して得られるデザイン特徴量に対応する感性語であって、当該テンプレート画像の印象が表現された感性語と一致又は類似する感性語を有する単数又は複数のスタンプ画像を取得する。
【００２５】
本態様によれば、選択されたテンプレート画像の感性語と一致又は類似する感性語を有するスタンプ画像が提案されるので、選択されたテンプレート画像の感性に合った適切なスタンプ画像を選択することができ、且つスタンプ画像の選択を容易に行うことができる。
【００２６】
好ましくは、プリント受付サーバは、テンプレート画像へ組み込むための撮影画像を取得する撮影画像取得部と、テンプレート画像に撮影画像が組み込まれた後のテンプレート画像を画像解析して得られるデザイン特徴量に対応する感性語であって、当該テンプレート画像の印象が表現された感性語に更新する感性語更新部と、を備える。
【００２７】
本態様によれば、撮影画像がテンプレート画像へ込み込まれた後に再び画像解析が行われて感性語が更新されるので、テンプレート画像に撮影画像が込み込まれたのちに全体の印象又は雰囲気が変わった場合であっても、撮影画像が組み込まれたテンプレート画像に適切なスタンプ画像を提案することができる。
【００２８】
好ましくは、テンプレート画像受付部は、テンプレート画像が有するテンプレート画像の絵柄に応じたスタンプ配置情報を取得し、スタンプ画像送信部は、スタンプ配置情報を端末に送信する。
【００２９】
本態様によれば、テンプレート画像が有するテンプレート画像の絵柄に応じたスタンプ配置情報に基づいてスタンプ画像が移動させられるので、テンプレート画像の絵柄に適した位置にスタンプ画像を配置することができる。
【００３０】
好ましくは、スタンプ配置情報は、テンプレート画像が人物を有する場合には人物の付近であり、テンプレート画像が風景画を有する場合には、テンプレート画像の隅である。
【００３１】
本態様によれば、テンプレート画像が人物を有する場合には人物の付近にスタンプ画像が配置され、テンプレート画像が風景画を有する場合には、テンプレート画像の隅にスタンプ画像が配置されるので、テンプレート画像が有する絵柄に応じて適切な位置にスタンプ画像を配置することができる。
【００３２】
好ましくは、スタンプ画像送信部は、テンプレート画像の大きさ、又はテンプレート画像の絵柄に応じてサイズを変更したスタンプ画像を送信する。
【００３３】
本態様によれば、テンプレート画像の大きさ、テンプレート画像の絵柄、又は貼り付け位置に応じて、スタンプ画像のサイズが調節されるので、スタンプ画像は適切に調節される。
【００３４】
本発明の他の態様のプリント受付方法は、プリント情報を受け付けるプリント受付方法であって、複数のテンプレート画像のうちから１つのテンプレート画像の選択を受け付けるテンプレート画像受付ステップと、選択されたテンプレート画像に適合する単数又は複数のスタンプ画像を取得するスタンプ画像取得ステップと、選択されたテンプレート画像及び取得した単数又は複数のスタンプ画像を表示部に表示させる表示制御ステップと、表示部に表示された単数又は複数のスタンプ画像からテンプレート画像に合成する単数又は複数のスタンプ画像の選択を受け付けるスタンプ画像受付ステップと、少なくとも選択されたテンプレート画像を示すテンプレート情報及び選択されたスタンプ画像を示すスタンプ情報をプリント情報として受け付ける情報受付ステップと、を備え、スタンプ画像取得ステップは、選択されたテンプレート画像を画像解析して得られるデザイン特徴量に対応する感性語であって、当該テンプレート画像の印象が表現された感性語と一致又は類似する感性語を有する単数又は複数のスタンプ画像を取得し、表示制御ステップは、選択されたテンプレート画像に選択されたスタンプ画像を合成して表示部に表示させる。
【００３５】
本発明の他の態様のプリント受付方法は、プリント情報をネットワークを介して端末から受け付けるプリント受付方法であって、端末の表示部に複数のテンプレート画像を表示させ、端末でのテンプレート画像の選択操作に基づいて複数のテンプレート画像のうちから１つのテンプレート画像の選択を受け付けるテンプレート画像受付ステップと、受け付けたテンプレート画像に適合する単数又は複数のスタンプ画像を取得するスタンプ画像取得ステップと、取得した単数又は複数のスタンプ画像を端末に送信し、端末の表示部に表示させるスタンプ画像送信ステップと、表示部に表示された単数又は複数のスタンプ画像からテンプレート画像に合成する単数又は複数のスタンプ画像を、端末でのスタンプ画像の選択操作に基づいて受け付けるスタンプ画像受付ステップと、を備え、スタンプ画像取得ステップは、選択されたテンプレート画像を画像解析して得られるデザイン特徴量に対応する感性語であって、当該テンプレート画像の印象が表現された感性語と一致又は類似する感性語を有する単数又は複数のスタンプ画像を取得する。
【発明の効果】
【００３６】
本態様によれば、選択されたテンプレート画像の感性語と一致又は類似する感性語を有するスタンプ画像が提案されるので、選択されたテンプレート画像の感性に合った適切なスタンプ画像を選択することができ、且つスタンプ画像の選択を容易に行うことができる。
【図面の簡単な説明】
【００３７】
【図１】図１はプリント受付装置の一例を示す斜視図である。
【図２】図２はプリント受付装置の電気的構成を示すブロック図である。
【図３】図３はテンプレート画像解析データの作成手順を説明するための説明図である。
【図４】図４は感性空間に配置される感性語を示す言語イメージスケールの説明図である。
【図５】図５は感性空間に配置される単色イメージスケールの説明図である。
【図６】図６は感性空間に配置される３色配色のイメージスケールの説明図である。
【図７】図７は選択画面の正面図である。
【図８】図８は表示部にテンプレート画像及びスタンプ画像を表示させた具体例を示す図である。
【図９】図９は表示部にテンプレート画像とスタンプ画像を合成して表示させた具体例を示す図である。
【図１０】図１０はプリント受付装置の動作フロー図である。
【図１１】図１１はプリント受付システムの構成を示す。
【図１２】図１２はプリント受付サーバの電気的構成を示すブロックを示す図である。
【図１３】図１３はプリント受付システムの動作フロー図である。
【図１４】図１４はユーザ端末の一例のスマートフォンの外観斜視図である。
【図１５】図１５は図１４に示したスマートフォンの電気的構成を示すブロック図である。
【発明を実施するための形態】
【００３８】
以下、添付図面に従って本発明に係るプリント受付装置、プリント受付サーバ、及びプリント受付方法の好ましい実施の形態について説明する。
【００３９】
［第１実施形態］
図１は、本実施形態に係るプリント受付装置の一例を示す斜視図である。なお、以下の説明ではポストカードのプリントサービスの例に沿って説明をするが、本発明は本例に限定されるものではない。
【００４０】
プリント受付装置１０は、ポストカードのプリントサービスを提供する店の店頭などに設置される。ユーザ（客）は、プリント受付装置１０を操作することにより所望のポストカードの印刷を注文することができる。
【００４１】
プリント受付装置１０は、主にプリント受付装置本体１５、表示部１６、操作部１７、撮影画像入力用のインタフェース２２、プリント取出口１４を備えている。ユーザは、表示部１６に表示された画像を参照しながら操作部１７によりプリントを発注し、プリント取出口１４からプリントされた商品を受け取る。
【００４２】
図２は、プリント受付装置１０の電気的構成を示すブロック図である。図２に示すように、プリント受付装置１０は、前述の表示部１６、操作部１７及びインタフェース２２の他に、制御部２０と、メモリ２１と、データ格納部２３と、を備えている。なお、図２では、説明の煩雑化を防止するために、テンプレート画像１２の選択画面の表示に関係のない構成は図示を省略している。
【００４３】
制御部２０は、例えばＣＰＵ（Central Processing Unit）を含む各種の演算部及び処理部及び記憶部により構成されたものであり、表示部１６及び操作部１７からの制御信号に基づき、メモリ２１から読み出した各種のプログラムを実行することで、プリント受付装置１０の全体の動作や処理を統括制御する。
【００４４】
メモリ２１は、制御部２０が処理を実行するための各種のプログラムが格納されている記録媒体である。このメモリ２１には、テンプレート画像１２の選択画面の表示処理を制御部２０に実行させるためのアプリケーションソフトウェアであるプログラム２５と、詳しくは後述する変換テーブル２６と、が格納されている。
【００４５】
表示部１６は、制御部２０の制御により、静止画像および動画像を含む画像や文字情報などを表示して視覚的にユーザに情報を伝達するとともに、表示した情報に対するユーザ操作を検出する、いわゆるタッチパネルである。この表示部１６は、表示パネル２８と、この表示パネル２８を覆うように配置された操作パネル２９とを備える。
【００４６】
表示パネル２８は、ＬＣＤ(Liquid Crystal Display)、ＯＥＬＤ(Organic Electro-Luminescence Display)などを表示デバイスとして用いたものである。操作パネル２９は、表示部１６の表示面上に表示される画像を視認可能に載置され、ユーザの指や尖筆によって操作される一又は複数の座標を検出するデバイスである。この操作パネル２９をユーザの指や尖筆によって操作すると、操作に起因して発生する検出信号が操作パネル２９から制御部２０へ出力される。制御部２０は、操作パネル２９から入力される検出信号に基づき、操作パネル２９に対するユーザの操作を検出し、この操作に応じた処理を実行する。
【００４７】
操作部１７は、キースイッチなどを用いたハードウェアキーであって、ユーザからの指示を受け付けるものである。例えば、操作部１７は、指などで押下されるとオンとなり、指を離すとバネなどの復元力によってオフ状態となる押しボタン式のスイッチである。制御部２０は、操作部１７に対する操作を検出し、この操作に応じた処理を実行する。
【００４８】
インタフェース２２は、プリント受付装置１０において、テンプレート画像１２と、テンプレート画像１２内の写真合成用の合成領域１２ａに合成される撮影画像３１と、スタンプ画像１３を取得する画像取得部として機能する。具体的に、インタフェース２２は、図示しないプリントサービス用のデータサーバから、ポストカードのテンプレート画像１２及びスタンプ画像１３を複数取得する。また、インタフェース２２は、ユーザが所有する他の端末や電子機器（パーソナルコンピュータ、スマートフォン、携帯電話機、及びデジタルカメラなど）から、撮影画像３１を取得する。この場合インタフェース２２は撮影画像取得部として機能する。従って、インタフェース２２としては、プリントサービス用のサーバ、端末や電子機器などに通信接続可能な通信インタフェース等が用いられる。
【００４９】
なお、メモリカード（図示せず）等に記憶されているテンプレート画像１２、スタンプ画像１３、及び撮影画像３１を取得する場合、インタフェース２２としては、メモリカードが装填されるカードインタフェースが用いられる。また、撮影画像３１は、プリント受付装置１０のカメラ部（図示せず）からも取得可能であり、この場合のインタフェース２２としては、カメラ部に接続する接続インタフェースである。
【００５０】
データ格納部２３は、インタフェース２２により取得されたテンプレート画像１２、スタンプ画像１３、及び撮影画像３１を格納する。また、データ格納部２３には、詳しくは後述するが、制御部２０（画像解析部３６）により解析されたテンプレート画像１２の特徴量の解析結果であるテンプレート画像解析データ３３が格納され、制御部２０（画像解析部３６）により解析されたスタンプ画像１３の特徴量の解析結果であるスタンプ画像解析データ３４が格納される。
【００５１】
制御部２０は、本発明のコンピュータとして機能するものである。この制御部２０は、プリント受付装置１０においてテンプレート画像１２の選択画面起動操作がなされた際に、メモリ２１から読み出したプログラム２５を実行することにより、画像解析部３６と、表示制御部３７と、着目領域設定部３８と、として機能する。
【００５２】
［画像解析］
画像解析部３６は、データ格納部２３に格納されている又はインターフェイス２２から入力されるテンプレート画像１２及びスタンプ画像１３を解析して、テンプレート画像１２及びスタンプ画像１３のデザイン特徴量を取得する。画像解析部３６が行う画像解析は公知の技術により行われる。また、画像解析部３６が画像解析により取得するデザイン特徴量とは、画像に表現されたデザインの特徴であり様々なものが採用される。例えば、デザイン特徴量は、色、柄、模様、形状等である。そして画像解析部３６は、取得したデザイン特徴量に対応し、解析を行った画像の印象が表された感性語を取得し、テンプレート画像解析データ３３及びスタンプ画像解析データ３４を作成する。なお感性語とは、テンプレート画像１２及びスタンプ画像１３を見た場合に受ける印象を言葉で表現したものであり、デザイン特徴量に対応されている。
【００５３】
図３は、画像解析部３６によるテンプレート画像解析データ３３の作成手順を説明するための説明図である。図３に示すように、画像解析部３６は、データ格納部２３に格納されている各テンプレート画像１２から、個々のテンプレート画像１２を代表する色を含む領域を１又は複数切り出し、切り出した領域の画像を平滑化フィルタにより平滑化処理し、平滑化処理した領域の画像の代表色を示す色特徴量を取得する。
【００５４】
ここで代表色とは、離れた位置からも十分に視認できる一定の面積以上を有する色をいい、例えば、大きな面積の「ベースカラー」、次に大きな面積を占める「アソートカラー」に限らず、小面積の「アクセントカラー」も代表色としてもよい。そして、本例では、色特徴量として、ＨＳＶ色空間における３属性［Ｈ（Hue：色相）・Ｓ（Saturation：彩度）・Ｖ（Value Lightness：明度）］の各値（以下、「ＨＳＶ値」という）を取得する。
【００５５】
次いで、画像解析部３６は、取得した代表色の色特徴量（ＨＳＶ値）毎に、１３０色の色数を有する基本カラーパレット４０から該当する色情報を選択する。ここで、１３０色は、１２０色の有彩色と１０色の無彩色とを有し、１２０色の有彩色は、１０種類の色相と１２種類のトーンとの組み合わせからなり、１０色の無彩色は、白から黒までの１０種類のトーンからなる。尚、基本カラーパレット４０の色数及び分類方法は、この実施形態に限定されない。
【００５６】
このように、１つの色特徴量（ＨＳＶ値）が取得されると、取得した色特徴量（デザイン特徴量）に対応する基本カラーパレット４０における１３０色のうちの１つの色（色情報）を特定することができる。なお、テンプレート画像１２の代表色が２色の場合、基本カラーパレット４０上の２つの色（２色配色）を特定することができる。同様に、テンプレート画像１２の代表色が３色の場合には、基本カラーパレット４０上の３つの色（３色配色）を特定することができ、テンプレート画像１２の代表色がＮ色（Ｎ：４以上の整数）の場合には、基本カラーパレット４０上のＮ個の色（Ｎ色配色）を特定することができる。
【００５７】
画像解析部３６は、テンプレート画像１２の色情報（配色）を特定した後、特定した配色に対応する感性語の特定を行う。
【００５８】
図４は感性空間に配置される感性語を示す言語イメージスケールの説明図であり、図５は感性空間に配置される単色（基本カラーパレットの１３０色）の単色イメージスケールの説明図である。また、図６は感性空間に配置される３色配色のイメージスケールの説明図である。なお、図４から図６に示すイメージスケールは、株式会社日本カラーデザイン研究所から開示されたイメージスケールを示す（小林重順著「カラーシステム」（講談社）、及びhttp://www.ncd-ri.co.jp/about/image_system.htmlを参照）。
【００５９】
図４から図６に示すイメージスケールを構成する感性空間は、ＷＡＲＭ（暖かい）／ＣＯＯＬ（冷たい）の程度を示す横軸、及びＨＡＲＤ（かたい）／ＳＯＦＴ（やわらかい）の程度を示す縦軸の２つの座標軸により規定された空間である。図４から図６では、言語又は色が与える印象に基づいてマッピングされている。
【００６０】
図４に示す言語イメージスケールは、上記感性空間内に６４個の感性語が配置されている。また、図５に示す単色イメージスケールは、上記感性空間内に１３０色の単色が配置されている。図５に示した各記号は、Ｖ（ビビット）、Ｓ（ストロング）、Ｂ（ブライト）、Ｐ（ペール）、Ｖｐ（ベリー・ペール）、Ｌｇｒ（ライト・グレイッシュ）、Ｌ（ライト）、Ｇｒ（グレイッシュ）、Ｄｌ（ダル）、Ｄｐ（ディープ）、Ｄｋ（ダーク）、Ｄｇｒ（ダーク・グレイッシュ）の１２種類のトーンの位置を示している。また、数字で示した１３０色のうちの代表的なものとして、１〜１０は、それぞれ代表的な色相の位置を示し、１は赤、２は橙、３は黄、４は黄緑、５は緑、６は青緑、７は青、８は青紫、９は紫、１０は赤紫である。また、１２１は白、１３０は黒である。
【００６１】
また、図６に示す３色配色のイメージスケールは、６４個の感性語にそれぞれ対応する１つの３色配色を示しているが、１つの感性語に対応する３色配色は、複数存在する。
【００６２】
図４から図６に示すように、感性語と配色（単色、３色配色）との間には相関があることが分かる。尚、図６に示した３色配色に限らず、２色配色、Ｎ色配色の場合も感性語との間には相関がある。
【００６３】
従って、配色（単色、配色（２色、３色、Ｎ色））と感性語との関係を示す変換テーブル又は変換式を予め準備し、単色、配色の色情報を取得すれば、色情報を変換テーブル等により感性語に変換することができる。本実施形態では、配色と感性語との関係を示す変換テーブル２６がメモリ２１に予め格納されている（図２参照）。
【００６４】
図２に戻って、画像解析部３６は、前述の各テンプレート画像１２の色情報（配色）の特定結果に基づき、変換テーブル２６を参照して、テンプレート画像１２毎の感性語を特定する。そして、画像解析部３６は、感性語の特定結果に基づき、テンプレート画像解析データ３３を作成する。
【００６５】
テンプレート画像解析データ３３には、テンプレート画像１２ごとの「ファイル名」と「色情報」と「感性語」とが登録されている。なお、色情報の（＃＋数字）は、１３０色の基本カラーパレット４０の色の番号（＃１〜＃１３０）を示している。ここで、図３に示した感性語と配色の色情報との関係は便宜上のものであり、実際の感性語を想起させる配色の色情報であるとは限らない。
【００６６】
以上にテンプレート画像１２に対して画像解析を行いテンプレート画像解析データ３３の取得に関して説明をしたが、スタンプ画像１３に対して画像解析を行い、スタンプ画像解析データ３４の生成も同様に行われる。
【００６７】
なお、画像解析部３６による解析は、テンプレート画像解析データ３３及びスタンプ画像１３に少なくとも「感性語」が登録されているテンプレート画像１２（すなわち、１度解析済みのテンプレート画像１２）に対しては省略することができる。また、例えばインターネット上から画像解析済みのテンプレート画像１２及びスタンプ画像１３を取得した際にも、画像解析部３６による画像解析を省略することができる。
【００６８】
［選択画面］
図２に戻って、表示制御部３７は、表示部１６（表示パネル２８）における各種画像や文字情報の表示を制御する。例えば表示制御部３７は、画像解析部３６による画像解析の終了後、データ格納部２３から読み出したテンプレート画像１２とテンプレート画像解析データ３３とに基づき、テンプレート画像１２の選択画面４２を、表示パネル２８に表示させる。また、表示制御部３７は、スタンプ画像１３とスタンプ画像解析データ３４とに基づき、スタンプ画像１３の選択画面を表示パネル２８に表示させる。
【００６９】
図７は、テンプレート画像１２の選択画面４２の正面図である。図７に示すように、選択画面４２は、既述の図４から図６に示した感性空間（ＷＡＲＭ／ＣＯＯＬの程度を示す横軸、及びＨＡＲＤ／ＳＯＦＴの程度を示す縦軸の２つの座標軸により規定された空間）上に、各テンプレート画像１２を各々の特徴量である感性語に応じて配置させた配置画像である。この選択画面４２により、各々のテンプレート画像１２の持つイメージを判別することができ、さらに似たようなイメージを持つテンプレート画像１２のグループを判別することができる。
【００７０】
図２に戻って、感性語更新部４５は、テンプレート画像１２に撮影画像３１が組み込まれた後（合成された後）のテンプレート画像１２を画像解析して得られるデザイン特徴量に対応する感性語であって、テンプレート画像１２の印象が表現された感性語に更新する。すなわち、撮影画像取得部（インタフェース２２）で取得された撮影画像３１をテンプレート画像１２に組み込んだ後に、再び上述した画像処理を行い、テンプレート画像解析データ３３を書き換えることによりテンプレート画像１２の感性語を更新する。なお、テンプレート画像１２に撮影画像３１が組み込まれたとは、テンプレート画像１２の写真合成用の合成領域１２ａに撮影画像３１が合成されて、テンプレート画像１２に組み込まれることをいう。
【００７１】
［受付部］
次に制御部２０に設けられる受付部２４に関して説明する。受付部２４はプリント情報を受け付ける機能を有する。ここでプリント情報とは、プリントするための情報をいい、例えばプリントする画像データのことである。受付部２４は、主にテンプレート画像受付部４１、スタンプ画像取得部４７、スタンプ画像受付部４３、及び情報受付部４６を備える。
【００７２】
テンプレート画像受付部４１は、複数のテンプレート画像１２のうちから１つのテンプレート画像１２の選択を受け付ける。すなわちユーザがポストカードのプリントを発注する場合には、先ず表示部１６に複数のテンプレート画像１２が表示される。例えば、ユーザは図７で説明をしたような選択画面４２から所望のテンプレート画像１２を選択する。
【００７３】
スタンプ画像取得部４７は、テンプレート画像受付部４１から選択されたテンプレート画像１２の情報を取得し、選択されたテンプレート画像１２に適合する単数又は複数のスタンプ画像１３をデータ格納部２３から取得する。具体的には、スタンプ画像取得部４７は、選択されたテンプレート画像１２を画像解析して得られるデザイン特徴量に対応する感性語であって、テンプレート画像１２の印象が表現された感性語と一致又は類似する感性語を有する単数又は複数のスタンプ画像１３をデータ格納部２３から取得する。上述したように、テンプレート画像１２及びスタンプ画像１３には感性語が付与されているので、スタンプ画像取得部４７はその感性語が一致又は類似するスタンプ画像１３を選択する。
【００７４】
ここで、図４に示された感性空間においての一致又は類似することに関して具体例を使用して説明する。例えば、テンプレート画像１２の感性語が領域Ｉ（ダンディ、ダンディな、真面目な）内にある場合に、スタンプ画像１３の感性語も領域Ｉ内にある場合には、テンプレート画像１２とスタンプ画像１３との感性語が一致する。一方、テンプレート画像１２の感性語が領域Ｉ内にある場合に、スタンプ画像１３の感性語が領域ＩＩ、領域ＩＩＩ、領域ＩＶ、領域Ｖ、領域ＶＩ内にある場合には、テンプレート画像１２とスタンプ画像１３との感性語が類似する。また、テンプレート画像１２の感性語が領域Ｉ（ダンディ、ダンディな、真面目な）内にある場合に、スタンプ画像１３の感性語が領域ＶＩＩ、領域ＶＩＩＩ内にある場合には、テンプレート画像１２とスタンプ画像１３との感性語が類似しない。なお、上述した感性語の一致又は類似の考え方は一例であり、これに限定されるものではない。
【００７５】
スタンプ画像取得部４７で取得された感性語が一致又は類似するスタンプ画像１３と選択されたテンプレート画像１２は表示制御部３７により表示部１６に表示される。
【００７６】
図８は、表示部１６にテンプレート画像１２及びスタンプ画像１３を表示させた具体例を示す図である。表示制御部３７は、撮影画像３１が組み込まれたテンプレート画像１２を表示部１６に表示させている。また表示制御部３７により撮影画像３１が組み込まれたテンプレート画像１２の感性語と一致又は類似する感性語を有するスタンプ画像１３ａ〜１３ｄが表示されている。ユーザは、テンプレート画像１２とスタンプ画像１３とを参照しながら、テンプレート画像１２に合成する単数又は複数のスタンプ画像１３の選択を行う。ユーザのスタンプ画像１３の選択は操作部１７又は操作パネル２９で行われ、選択されたスタンプ画像１３の情報はスタンプ画像受付部４３により受け付けられる。
【００７７】
図９は、表示部１６にテンプレート画像１２とスタンプ画像１３を合成して表示させた具体例を示す図である。図９に示す場合では、ユーザによってスタンプ画像１３ａ及び１３ｄが選択され、表示制御部３７はテンプレート画像１２に選択されたスタンプ画像１３ａ及び１３ｄを合成して表示部１６に表示させる。
【００７８】
［スタンプ画像の配置］
移動指令受付部４８は、テンプレート画像１２とスタンプ画像１３とを合成して表示する場合にスタンプ画像１３の移動の指令を受け付ける。
【００７９】
移動指令受付部４８は、ユーザのスタンプの移動指令を受け付け、表示制御部３７に受け付けた移動指令を送信する。表示制御部３７は、移動指令に基づいてスタンプ画像１３を移動させる。これによりユーザは所望の位置にスタンプを移動させることができる。なおユーザは移動指令を操作部１７又は操作パネル２９により入力する。
【００８０】
また、表示制御部３７は、移動指令受付部４８から移動指令を受信した場合には、テンプレート画像１２が有するスタンプ配置情報に基づいて、スタンプ画像１３を移動させてもよい。ここでスタンプ配置情報とは、テンプレート画像１２が有するテンプレート画像１２の絵柄に応じて適切なスタンプの配置に関する情報である。例えばスタンプ配置情報は、テンプレート画像１２が人物を有する場合には人物の付近であり、テンプレート画像１２が風景画を有する場合には、テンプレート画像１２の隅である。
【００８１】
［サイズ変更］
サイズ変更指令受付部５０は、テンプレート画像１２とスタンプ画像１３とを合成して表示する場合にスタンプ画像１３のサイズの変更の指令を受け付ける。
【００８２】
サイズ変更指令受付部５０は、スタンプ画像１３のサイズ変更指令を受け付け、表示制御部３７に受け付けたサイズ変更指令を送信する。表示制御部３７は、サイズ変更指令に基づいて、スタンプ画像１３のサイズを変更する。また、表示制御部３７は、サイズ変更指令受付部５０からサイズ変更指令が送信された場合に、テンプレート画像１２の大きさ、テンプレート画像１２の絵柄、又は貼り付け位置に応じてスタンプ画像１３のサイズを変更させてもよい。
【００８３】
情報受付部４６は、選択されたテンプレート画像１２を示すテンプレート情報及び選択されたスタンプ画像１３を示すスタンプ情報をプリント情報として受け付ける。すなわち、情報受付部４６はテンプレート画像受付部４１で受け付けられたテンプレート画像１２を示すテンプレート情報及びスタンプ画像受付部４３で受け付けられたスタンプ画像１３ａ及び１３ｄを示すスタンプ情報を受け付ける。そして情報受付部４６は、受け付けたプリント情報をプリント装置２７に送信する。なお、情報受付部４６が受け付けるプリント情報には、移動指令受付部４８で受け付けられた移動指令及びサイズ変更指令受付部５０で受け付けられたサイズ変更指令が含まれる。
【００８４】
プリント装置２７は、情報受付部４６から取得したプリント情報に基づいてポストカードにプリントを行う。プリント装置２７でプリントがされたポストカードはプリント取出口１４（図１）から排出される。
【００８５】
図１０は、プリント受付装置１０の動作フロー図である。
【００８６】
先ずプリント受付装置１０の表示部１６に、複数のテンプレート画像１２が表示制御部３７によって表示される（ステップＳ１０）。そして、複数のテンプレート画像１２のうち一つのテンプレート画像１２の選択がテンプレート画像受付部４１により受け付けられる（ステップＳ１１）。その後、受け付けられたテンプレート画像１２の感性語と一致又は類似する感性語を有するスタンプ画像１３がスタンプ画像取得部４７により取得される（ステップＳ１２）。そして、選択されたテンプレート画像１２及び取得した単数又は複数のスタンプ画像１３を表示部１６に表示される（ステップＳ１３）。
【００８７】
ユーザは、表示部１６に表示されたスタンプ画像１３を選択し、スタンプ画像受付部４３によりテンプレートに合成する単数又は複数のスタンプ画像１３の選択が受け付けられる（ステップＳ１４）。そして、情報受付部４６により、選択されたテンプレート画像１２を示すテンプレート情報及び選択されたスタンプ画像１３を示すスタンプ情報をプリント情報として受け付けられる（ステップＳ１５）。
【００８８】
上述の各構成及び機能は、任意のハードウェア、ソフトウェア、或いは両者の組み合わせによって適宜実現可能である。例えば、上述の処理ステップ（処理手順）をコンピュータに実行させるプログラム、そのようなプログラムを記録したコンピュータ読み取り可能な記録媒体（非一時的記録媒体）、或いはそのようなプログラムをインストール可能なコンピュータに対しても本発明を適用することが可能である。
【００８９】
以上で説明したように、本発明によれば、選択されたテンプレート画像１２の感性語と一致又は類似する感性語を有するスタンプ画像１３が提案されるので、選択されたテンプレート画像１２の感性に合った適切なスタンプ画像１３を選択することができ、且つスタンプ画像１３の選択を容易に行うことができる。
【００９０】
［第２実施形態］
次に本発明の第２実施形態に関して説明する。図１１は本実形態に係るプリント受付サーバ１１０を含むプリント受付システム１００の構成を示す。プリント受付システム１００は、プリント受付サーバ１１０、ユーザ端末１１１、及びプリント装置１１３がインターネット１１２を介して接続されている。ユーザ端末１１１からのプリントの発注をインターネット１１２を介してプリント受付サーバ１１０が受け付け、プリント受付サーバ１１０がプリント装置１１３にプリント情報をインターネット１１２を介して送信し、プリント装置１１３は受信したプリント情報に基づいてプリントを行う。
【００９１】
図１２は、プリント受付サーバ１１０の電気的構成を示すブロックを示す図である。なお、図２で既に説明を行った事項に関しては同じ符号を付して説明は省略する。図１２に示すようにプリント受付サーバ１１０は、主に制御部２０、データ格納部２３、メモリ２１で構成されている。
【００９２】
プリント受付サーバ１１０は、ユーザ端末１１１にテンプレート画像１２及びスタンプ画像１３をインターネット１１２を介して送信し、ユーザ端末１１１はユーザ端末１１１の表示部１６にテンプレート画像１２及びスタンプ画像１３を表示させる。
【００９３】
テンプレート画像受付部４１は、ユーザ端末１１１にテンプレート画像１２を送信し、ユーザ端末１１１の表示部１６に複数のテンプレート画像１２を表示させ、ユーザ端末１１１でのテンプレート画像１２の選択操作に基づいて複数のテンプレート画像１２のうちから１つのテンプレート画像１２の選択を受け付ける。すなわち、テンプレート画像受付部４１は、ユーザ端末１１１において行われるテンプレート画像１２の選択をインターネット１１２を介して受け付ける。
【００９４】
スタンプ画像取得部４７は、選択されたテンプレート画像１２に適合する単数又は複数のスタンプ画像１３をデータ格納部２３より取得する。
【００９５】
スタンプ画像送信部４９は、インターネット１１２を介してスタンプ画像１３をユーザ端末１１１に送信し、ユーザ端末１１１の表示部１６に表示させる。なお、テンプレート画像１２がスタンプ配置情報も有する場合にはテンプレート画像受付部４１はスタンプ配置情報を取得し、スタンプ画像送信部４９はスタンプ配置情報をユーザ端末１１１に送信する。またスタンプ画像送信部４９は、インターネット１１２を介して、テンプレート画像の大きさ、又はテンプレート画像の絵柄に応じてサイズを変更したスタンプ画像をユーザ端末１１１に送信することもできる。そしてユーザ端末１１１は、サイズが変更されたスタンプ画像を受信した場合には、そのサイズを反映させてスタンプ画像を表示部に表示する。なお、ユーザ端末１１１は図２で説明を行ったサイズ変更指令受付部５０及び移動指令受付部４８に相当する機能を有していてもよい。
【００９６】
スタンプ画像受付部４３は、ユーザ端末１１１でのスタンプ画像１３の選択操作に基づいてテンプレート画像１２に合成するスタンプ画像１３の選択をインターネット１１２を介して受け付ける。
【００９７】
情報受付部４６は、選択されたテンプレート画像１２を示すテンプレート情報、及び選択されたスタンプ画像１３を示すテンプレート情報をプリント情報として受け付ける。そしてプリント受付サーバ１１０は、情報受付部４６で受け付けたプリント情報をインターネット１１２を介してプリント装置１１３に送信する。
【００９８】
プリント受付サーバ１１０は、インターネット１１２を介してテンプレート画像１２と、テンプレート画像１２内の写真合成用の合成領域１２ａに合成される撮影画像３１と、スタンプ画像Ｂとを取得する。
【００９９】
図１３は、プリント受付サーバ１１０、ユーザ端末１１１、プリント装置１１３から構成されるプリント受付システム１００の動作フロー図である。
【０１００】
先ずユーザ端末１１１の表示部１６に、複数のテンプレート画像１２が表示制御部によって表示される（ステップＳ２０）。そして、ユーザ端末１１１においてテンプレート画像１２が選択される（ステップＳ２１）。その後、ユーザ端末１１１からプリント受付サーバ１１０にインターネット１１２を介して選択されたテンプレート画像１２が送信され、プリント受付サーバ１１０のテンプレート画像受付部４１により、テンプレート画像１２の選択が受け付けられる（ステップＳ２２）。その後、受け付けられたテンプレート画像１２の感性語と一致又は類似する感性語を有するスタンプ画像１３がスタンプ画像取得部４７により取得される（ステップＳ２３）。次に、取得されたスタンプ画像１３がスタンプ画像送信部４９によりユーザ端末１１１に送信される（ステップＳ２４）。
【０１０１】
ユーザ端末１１１は、選択されたテンプレート画像１２及び取得されたスタンプ画像１３を表示部に表示する（ステップＳ２５）。その後、ユーザはユーザ端末１１１の表示部に表示されたスタンプ画像１３を選択し（ステップＳ２６）、ユーザ端末１１１からプリント受付サーバ１１０に選択されたスタンプ画像１３が送信される。プリント受付サーバ１１０のスタンプ画像受付部４３により、スタンプ画像１３の選択が受け付けられる（ステップＳ２７）。その後、情報受付部４６は、選択されたテンプレート画像１２を示すテンプレート情報及び選択されたスタンプ画像１３を示すスタンプ情報をプリント情報として受け付ける（ステップＳ２８）。そして、プリント装置１１３はプリント情報に基づいてプリント出力をする（ステップＳ２９）。
【０１０２】
本実施形態で使用されるユーザ端末１１１としては、表示部１６及び表示制御部３７を有する様々な装置が採用される。例えば、スマートフォン、タブレット、又はパーソナルコンピュータがユーザ端末１１１として採用される。以下にユーザ端末１１１としての具体例であるスマートフォンに関して説明する。
【０１０３】
＜スマートフォンの構成＞
図１４は、ユーザ端末１１１として使用されるスマートフォン５００の外観斜視図である。図１４に示すスマートフォン５００は、平板状の筐体５０２を有し、筐体５０２の一方の面に表示部としての表示パネル５２１と、入力部としての操作パネル５２２とが一体となった表示入力部５２０を備えている。また、筐体５０２は、スピーカ５３１と、マイクロホン５３２、操作部５４０と、カメラ部５４１と、ＬＥＤ（Light Emitting Diode）発光部５４２とを備えている。尚、筐体５０２の構成はこれに限定されず、例えば、表示部と入力部とが独立した構成を採用することや、折り畳み構造やスライド機構を有する構成を採用することもできる。
【０１０４】
図１５は、図１４に示したスマートフォン５００の電気的構成を示すブロック図である。図１５に示すように、スマートフォン５００の主たる構成要素として、無線通信部５１０と、表示入力部５２０と、通話部５３０と、操作部５４０と、カメラ部５４１と、記憶部５５０と、外部入出力部５６０と、ＧＰＳ(Global Positioning System)受信部５７０と、モーションセンサ部５８０と、電源部５９０と、主制御部５０１とを備える。また、スマートフォン５００の主たる機能として、基地局装置と移動通信網とを介した移動無線通信を行う無線通信機能を備える。
【０１０５】
無線通信部５１０は、主制御部５０１の指示に従って、移動通信網に収容された基地局装置に対し無線通信を行うものである。この無線通信を使用して、音声データ、画像データ等の各種ファイルデータ、電子メールデータなどの送受信や、Ｗｅｂデータやストリーミングデータなどの受信を行う。
【０１０６】
表示入力部５２０は、主制御部５０１の制御により、画像（静止画及び動画）や文字情報などを表示して視覚的にユーザに情報を伝達すると共に、表示した情報に対するユーザ操作を検出する、いわゆるタッチパネルであって、表示パネル５２１と、操作パネル５２２とを備える。生成された３Ｄ画像を鑑賞する場合には、表示パネル５２１は、３Ｄ表示パネルであることが好ましい。
【０１０７】
表示パネル５２１は、ＬＣＤ(Liquid Crystal Display)、ＯＥＬＤ(Organic Electro-Luminescence Display)などを表示デバイスとして用いたものである。
【０１０８】
操作パネル５２２は、表示パネル５２１の表示面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部５０１に出力する。次いで、主制御部５０１は、受信した検出信号に基づいて、表示パネル５２１上の操作位置（座標）を検出する。
【０１０９】
図１４に示すように、スマートフォン５００の表示パネル５２１と操作パネル５２２とは一体となって表示入力部５２０を構成しているが、操作パネル５２２が表示パネル５２１を完全に覆うような配置となっている。この配置を採用した場合、操作パネル５２２は、表示パネル５２１外の領域についても、ユーザ操作を検出する機能を備えてもよい。換言すると、操作パネル５２２は、表示パネル５２１に重なる重畳部分についての検出領域（以下、表示領域と称する）と、それ以外の表示パネル５２１に重ならない外縁部分についての検出領域（以下、非表示領域と称する）とを備えていてもよい。
【０１１０】
尚、表示領域の大きさと表示パネル５２１の大きさとを完全に一致させても良いが、両者を必ずしも一致させる必要はない。また、操作パネル５２２が、外縁部分と、それ以外の内側部分の２つの感応領域を備えていてもよい。更に、外縁部分の幅は、筐体５０２の大きさなどに応じて適宜設計されるものである。更にまた、操作パネル５２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【０１１１】
通話部５３０は、スピーカ５３１やマイクロホン５３２を備え、マイクロホン５３２を通じて入力されたユーザの音声を主制御部５０１にて処理可能な音声データに変換して主制御部５０１に出力したり、無線通信部５１０あるいは外部入出力部５６０により受信された音声データを復号してスピーカ５３１から出力したりするものである。また、図１４に示すように、例えば、スピーカ５３１及びマイクロホン５３２を表示入力部５２０が設けられた面と同じ面に搭載することができる。
【０１１２】
操作部５４０は、キースイッチなどを用いたハードウェアキーであって、ユーザからの指示を受け付けるものである。例えば、操作部５４０は、スマートフォン５００の筐体５０２の表示部の下部、下側面に搭載され、指などで押下されるとオンとなり、指を離すとバネなどの復元力によってオフ状態となる押しボタン式のスイッチである。
【０１１３】
記憶部５５０は、主制御部５０１の制御プログラムや制御データ、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部５５０は、スマートフォン内蔵の内部記憶部５５１と着脱自在な外部メモリスロットを有する外部記憶部５５２により構成される。尚、記憶部５５０を構成するそれぞれの内部記憶部５５１と外部記憶部５５２は、フラッシュメモリタイプ（flash memory type）、ハードディスクタイプ（hard disk type）、マルチメディアカードマイクロタイプ（multimedia card micro type）、カードタイプのメモリ（例えば、Micro SD（登録商標）メモリ等）、ＲＡＭ（Random Access Memory）、ＲＯＭ（Read Only Memory）などの格納媒体を用いて実現される。なお、記憶部５５０は、上記各実施形態のメモリ２１及びデータ格納部２３に相当する。
【０１１４】
外部入出力部５６０は、スマートフォン５００に連結される全ての外部機器とのインタフェースの役割を果たすものであり、他の外部機器に通信等（例えば、ユニバーサルシリアルバスなど）又はネットワーク（例えば、インターネット、無線ＬＡＮ（Local Area Network）、ブルートゥース（Bluetooth）（登録商標）、ＲＦＩＤ（Radio Frequency Identification）、赤外線通信（Infrared Data Association：ＩｒＤＡ）、ＵＷＢ（Ultra Wideband）（登録商標）、ジグビー（ZigBee）（登録商標）など）により直接的又は間接的に接続するためのものである。
【０１１５】
スマートフォン５００に連結される外部機器としては、例えば、有／無線ヘッドセット、有／無線外部充電器、有／無線データポート、カードソケットを介して接続されるメモリカード（Memory card）やＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるPDA、イヤホンなどがある。外部入出力部は、このような外部機器から伝送を受けたデータをスマートフォン５００の内部の各構成要素に伝達することや、スマートフォン５００の内部のデータが外部機器に伝送されるようにすることができる。
【０１１６】
ＧＰＳ受信部５７０は、主制御部５０１の指示に従って、ＧＰＳ衛星ＳＴ１〜ＳＴｎから送信されるＧＰＳ信号を受信し、受信した複数のＧＰＳ信号に基づく測位演算処理を実行し、スマートフォン５００の緯度、経度、高度からなる位置を検出する。ＧＰＳ受信部５７０は、無線通信部５１０や外部入出力部５６０（例えば、無線ＬＡＮ）から位置情報を取得できるときには、その位置情報を用いて位置を検出することもできる。
【０１１７】
モーションセンサ部５８０は、例えば、３軸の加速度センサなどを備え、主制御部５０１の指示に従って、スマートフォン５００の物理的な動きを検出する。スマートフォン５００の物理的な動きを検出することにより、スマートフォン５００の動く方向や加速度が検出される。この検出結果は、主制御部５０１に出力されるものである。
【０１１８】
電源部５９０は、主制御部５０１の指示に従って、スマートフォン５００の各部に、バッテリ（図示しない）に蓄えられる電力を供給するものである。
【０１１９】
主制御部５０１は、マイクロプロセッサを備え、記憶部５５０が記憶する制御プログラムや制御データに従って動作し、スマートフォン５００の各部を統括して制御するものである。また、主制御部５０１は、無線通信部５１０を通じて、音声通信やデータ通信を行うために、通信系の各部を制御する移動通信制御機能と、アプリケーション処理機能を備える。
【０１２０】
アプリケーション処理機能は、記憶部５５０が記憶するアプリケーションソフトウェアに従って主制御部５０１が動作することにより実現するものである。アプリケーション処理機能としては、例えば、外部入出力部５６０を制御して対向機器とデータ通信を行う赤外線通信機能や、電子メールの送受信を行う電子メール機能、Webページを閲覧するWebブラウジング機能などがある。
【０１２１】
また、主制御部５０１は、受信データやダウンロードしたストリーミングデータなどの画像データ（静止画や動画のデータ）に基づいて、映像を表示入力部５２０に表示する等の画像処理機能を備える。画像処理機能とは、主制御部５０１が、上記画像データを復号し、この復号結果に画像処理を施して、画像を表示入力部５２０に表示する機能のことをいう。
【０１２２】
更に、主制御部５０１は、表示パネル５２１に対する表示制御と、操作部５４０、操作パネル５２２を通じたユーザ操作を検出する操作検出制御を実行する。
【０１２３】
表示制御の実行により、主制御部５０１は、アプリケーションソフトウェアを起動するためのアイコンや、スクロールバーなどのソフトウェアキーを表示し、あるいは電子メールを作成するためのウィンドウを表示する。尚、スクロールバーとは、表示パネル５２１の表示領域に収まりきれない大きな画像などについて、画像の表示部分を移動する指示を受け付けるためのソフトウェアキーのことをいう。
【０１２４】
また、操作検出制御の実行により、主制御部５０１は、操作部５４０を通じたユーザ操作を検出したり、操作パネル５２２を通じて、上記アイコンに対する操作や、上記ウィンドウの入力欄に対する文字列の入力を受け付けたり、あるいは、スクロールバーを通じた表示画像のスクロール要求を受け付ける。
【０１２５】
更に、操作検出制御の実行により主制御部５０１は、操作パネル５２２に対する操作位置が、表示パネル５２１に重なる重畳部分（表示領域）か、それ以外の表示パネル５２１に重ならない外縁部分（非表示領域）かを判定し、操作パネル５２２の感応領域や、ソフトウェアキーの表示位置を制御するタッチパネル制御機能を備える。
【０１２６】
また、主制御部５０１は、操作パネル５２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【０１２７】
カメラ部５４１は、ＣＭＯＳ（Complementary Metal Oxide Semiconductor）型あるいはＣＣＤ（charge-coupled device）型の撮像素子を用いて電子撮像する撮像装置である。
【０１２８】
ＬＥＤ発光部５４２は、白色ＬＥＤ及び近赤外ＬＥＤを有し、可視光画像撮像モード時に被写体の光量が不足する場合には、白色ＬＥＤを点灯し、可視光画像撮像時の補助光として白色ＬＥＤから白色光を発光し、近赤外光画像撮像モード時に近赤外ＬＥＤを点灯し、近赤外光画像撮像時の補助光として近赤外ＬＥＤから近赤外光を発光する。また、近赤外ＬＥＤは、赤外線通信機能を有するスマートフォン５００の場合、赤外線通信の光源として使用することも可能である。
【０１２９】
また、カメラ部５４１は、主制御部５０１の制御により、撮像によって得た画像データを、例えばJPEG(Joint Photographic coding Experts Group)などの圧縮した画像データに変換し、記憶部５５０に記録したり、外部入出力部５６０や無線通信部５１０を通じて出力したりすることができる。図１４に示すにスマートフォン５００において、カメラ部５４１は表示入力部５２０と同じ面に搭載されているが、カメラ部５４１の搭載位置はこれに限らず、表示入力部５２０の背面に搭載されてもよいし、あるいは、複数のカメラ部５４１が搭載されてもよい。尚、複数のカメラ部５４１が搭載されている場合には、撮像に供するカメラ部５４１を切り替えて単独にて撮像したり、あるいは、複数のカメラ部５４１を同時に使用して撮像したりすることもできる。
【０１３０】
また、カメラ部５４１はスマートフォン５００の各種機能に利用することができる。例えば、表示パネル５２１にカメラ部５４１で取得した画像を表示することや、操作パネル５２２の操作入力のひとつとして、カメラ部５４１の画像を利用することができる。また、ＧＰＳ受信部５７０が位置を検出する際に、カメラ部５４１からの画像を参照して位置を検出することもできる。更には、カメラ部５４１からの画像を参照して、３軸の加速度センサを用いずに、あるいは、３軸の加速度センサと併用して、スマートフォン５００のカメラ部５４１の光軸方向を判断することや、現在の使用環境を判断することもできる。勿論、カメラ部５４１からの画像をアプリケーションソフトウェア内で利用することもできる。
【０１３１】
なおテンプレート画像１２及びスタンプ画像１３は、主制御部５０１により表示入力部５２０に表示され、操作部５４０又は操作パネル５２２によりユーザからの選択を受け付ける。
【０１３２】
以上で本発明の例に関して説明してきたが、本発明は上述した実施の形態に限定されず、本発明の精神を逸脱しない範囲で種々の変形が可能であることは言うまでもない。
【符号の説明】
【０１３３】
１０…プリント受付装置、１２…テンプレート画像、１３…スタンプ画像、１４…プリント取出口、１５…プリント受付装置本体、１６…表示部、１７…操作部、２０…制御部、２１…メモリ、２２…インタフェース、２３…データ格納部、２４…受付部、２５…プログラム、２６…変換テーブル、２７…プリント装置、２８…表示パネル、２９…操作パネル、３１…撮影画像、３３…テンプレート画像解析データ、３４…スタンプ画像解析データ、３６…画像解析部、３７…表示制御部、３８…着目領域設定部、４１…テンプレート画像受付部、４３…スタンプ画像受付部、４５…感性語更新部、４６…情報受付部、４７…スタンプ画像取得部、４８…移動指令受付部、５０…サイズ変更指令受付部、１００…プリント受付システム、１１０…プリント受付サーバ、１１１…ユーザ端末、１１２…インターネット、１１３…プリント装置
【図１】
0006317714.tif 000002
【図２】
0006317714.tif 000003
【図３】
0006317714.tif 000004
【図４】
0006317714.tif 000005
【図５】
0006317714.tif 000006
【図６】
0006317714.tif 000007
【図７】
0006317714.tif 000008
【図８】
0006317714.tif 000009
【図９】
0006317714.tif 000010
【図１０】
0006317714.tif 000011
【図１１】
0006317714.tif 000012
【図１２】
0006317714.tif 000013
【図１３】
0006317714.tif 000014
【図１４】
0006317714.tif 000015
【図１５】
0006317714.tif 000016